(57)【要約】【課題】高圧受電設備を法定点検するための停電作業を実施する場合に作業者の安全を確保するために要所に取り付ける短絡接地器具を、作業終了後に取外し忘れることがないように警報する構成を備えた短絡接地器具を提供する。【解決手段】受電設備を構成する電力線と接地線との間に接続される短絡接地器具であって、電力線と着脱する接続具３を有した複数本の電力線用ケーブル２と、接地線と着脱する接地金具１２を有し各電力線用ケーブルと導通した接地用ケーブル１１と、を備え、発光部、又は鳴動部から成る警報手段２０と、該警報手段に電力を供給する電源２５と、を備えた。【選択図】図１
2008130297.tif 000002
【特許請求の範囲】
【請求項１】
受電設備を構成する電力線と接地線との間に接続される短絡接地器具であって、前記電力線と着脱する接続具を有した複数本の電力線用ケーブルと、前記接地線と着脱する接地金具を有し前記各電力線用ケーブルと導通した接地用ケーブルと、を備え、
発光部、又は鳴動部から成る警報手段と、該警報手段に電力を供給する電源と、を備えたことを特徴とする短絡接地器具。
【請求項２】
前記接続具には、電力線との接続時にオンし、接続解除時にオフするスイッチを備え、
前記スイッチは、前記電源から前記警報手段への電力供給をオン、オフすることを特徴とする請求項１に記載の短絡接地器具。
【請求項３】
前記接続具は、挟持片及びグリップ部から成る鰐口クリップであり、前記スイッチは該鰐口クリップのグリップ部に設けたリミットスイッチであることを特徴とする請求項１又は２に記載の短絡接地器具。
【請求項４】
前記発光部はＬＥＤであり、該ＬＥＤは前記接地用ケーブル、又は／及び、電力線用ケーブルの外面に沿って複数個配置されると共に、リード線を介して前記電源と接続されていることを特徴とする請求項１乃至３の何れか一項に記載の短絡接地器具。
【発明の詳細な説明】
【技術分野】
【０００１】
本発明は、短絡接地器具を装着して高圧受電設備の停電作業を実施した後で、短絡接地器具の取外しを忘れて送電を再開することによる事故の発生を防止することができる短絡接地器具に関する。
【背景技術】
【０００２】
高圧受電設備の定期的な保守点検のための停電作業については労働安全衛生規則により法定されており、短絡接地器具の使用が義務付けられている。
高圧受電設備の停電作業においては、図５（ａ）に示すように法定点検作業の対象となる高圧受電設備１００の直近の区分開閉器１１０を開放することによって電力線（架空引き込み線）１１１からの電力を遮断する一方、受電設備側の遮断装置１０１を閉じた状態で、遮断装置１０１の入力側（電力線）１０２と接地線１０３との間に短絡接地器具１０５を接続する。この状態において受電設備を構成するリレーやトランス等の試験、点検を実施することとなる。区分開閉器の故障や誤った操作によって、受電設備の点検中に誤って電路側から電力が供給されたとしても、短絡接地器具１０５を接続しておくことにより、作業者の安全を図ることができる。
図５（ｂ）に示すように短絡接地器具１０５は、電力線１０２に設けた端子部と着脱する接続具１０６を有した複数本の電力線用ケーブル１０７と、接地線１０３と着脱する接地金具１０８を有し各電力線用ケーブルと導通した接地用ケーブル１０９と、を有している。
特許文献１、２には、安全性に優れた短絡接地器具が開示されている。
【０００３】
ところで、工場、大学、病院等の大規模施設に設置された高圧受電設備に対する法定点検を実施する場合、多数の短絡接地器具を各所に接続した状態で停電作業が実施されるため、作業終了後に短絡接地器具を取り外し忘れる人為的なミスが発生する可能性がある。短絡接地器具を装着した状態で電力を復旧すると、短絡、地絡といった重大事故が発生する虞がある。
特に、遮断装置１０１は扉によって開閉される金属ケース内に配置されることが多く、このように隠蔽された箇所（特に暗所）に配置された遮断装置１０１に接続された短絡接地器具１０５は取外しを忘れることがある。また、夜間等、周囲が暗い環境での作業においては、短絡接地器具の取外しの見落としが多発し易い。
【特許文献１】実開平０５−０６１９５８号公報
【特許文献２】特開２００２−１５２９３５公報
【発明の開示】
【発明が解決しようとする課題】
【０００４】
以上のように高圧受電設備を法定点検するための停電作業を実施する場合に使用する短絡接地器具は、使用個数が多い場合や、隠蔽された箇所に接続される場合には取外しを忘れることがあり、短絡接地器具を取り付けた状態で電力を復旧すると重大事故につながる虞がある。
これまでこのような問題点に着目し、短絡接地器具の取り忘れを防止するための改善策は提案されたことがなかった。
【０００５】
本発明は上記に鑑みてなされたものであり、高圧受電設備を法定点検するための停電作業を実施する場合に作業者の安全を確保するために要所に取り付ける短絡接地器具を、作業終了後に取外し忘れることがないように警報する構成を備えた短絡接地器具を提供することを目的とする。
【課題を解決するための手段】
【０００６】
上記目的を達成するため、請求項１の発明は、受電設備を構成する電力線と接地線との間に接続される短絡接地器具であって、前記電力線と着脱する接続具を有した複数本の電力線用ケーブルと、前記接地線と着脱する接地金具を有し前記各電力線用ケーブルと導通した接地用ケーブルと、を備え、発光部、又は鳴動部から成る警報手段と、該警報手段に電力を供給する電源と、を備えたことを特徴とする。
短絡接地器具を受電設備の所要箇所に接続した状態で法定の停電作業を実施した後で復旧する際に、短絡接地器具を取外し忘れたまま復旧した場合には事故が発生する虞がある。本発明では、作業者の視覚、聴覚に訴える警報手段を備えたので、取外しを忘れることがなくなる。
【０００７】
請求項２の発明は、請求項１において、前記接続具には、電力線との接続時にオンし、接続解除時にオフするスイッチを備え、前記スイッチは、前記電源から前記警報手段への電力供給をオン、オフすることを特徴とする。
接続具を電力線に対して取り付ける操作によってオンすることによって警報手段を作動させるスイッチを設けることにより、電源スイッチをオンし忘れる不具合に対処することができる。
【０００８】
請求項３の発明は、請求項１又は２において、前記接続具は、挟持片及びグリップ部から成る鰐口クリップであり、前記スイッチは該鰐口クリップのグリップ部に設けたリミットスイッチであることを特徴とする。
請求項４の発明は、請求項１乃至３の何れか一項において、前記発光部はＬＥＤであり、該ＬＥＤは前記接地用ケーブル、又は／及び、電力線用ケーブルの外面に沿って複数個配置されると共に、リード線を介して前記電源と接続されていることを特徴とする。
【発明の効果】
【０００９】
本発明によれば、電力線と着脱する接続具を有した複数本の電力線用ケーブルと、接地線と着脱する接地金具を有し各電力線用ケーブルと導通した接地用ケーブルと、を備え、発光部、又は鳴動部から成る警報手段と、該警報手段に電力を供給する電源と、を備えたことにより、短絡接地器具を作業終了後に取外し忘れることがなくなる。
【発明を実施するための最良の形態】
【００１０】
以下、本発明を添付図面に示した実施の形態により詳細に説明する。
図１は本発明の一実施形態に係る短絡接地器具の全体構成説明図であり、図２は警報手段の一例の構成説明図である。なお、図５（ａ）を併せて参照しつつ説明する。
短絡接地器具１は、高圧受電設備１００を構成する電力線１０２と接地線１０３との間に接続されることにより、停電作業中に作業者を感電等から保護する手段である。
短絡接地器具１は、手動操作によって電力線１０２に設けた端子部と着脱される接続具３を有した３本の電力線用ケーブル２と、接地線１０３と着脱される接地金具１２を有し各電力線用ケーブル２と導通することによりこれらを接地させる接地用ケーブル１１と、発光部、又は鳴動部から成る警報手段２０と、警報手段２０に電力を供給する電源（例えば、１２Ｖバッテリー）２５と、を備えている。
【００１１】
接続具３は、例えば鰐口クリップであり、互いに開閉自在に軸支された金属製の挟持片３ａと、各挟持片３ａから一体的に延びるグリップ３ｂと、各挟持片３ａが閉じる方向に常時付勢する図示しないバネと、を有している。グリップ３ｂを片手に把持してバネ力に抗して握ることによって挟持片３ａを開放させることができる。把持力を解除するとバネ力によって両挟持片は閉止状態に復帰する。
各接続具３から夫々延びる電力線用ケーブル２は、夫々接地用ケーブル１１と接続されている。換言すれば、接地用ケーブル１１の端部に設けた分岐部から３本の電力線用ケーブル２が分岐して接続されている。
接地用ケーブル１１は、その先端部に接地線に対して着脱自在に接続される接地金具１２を有している。
【００１２】
電源２５は、どの部位に配置してもよいが、警報手段２０から延びるリード線と接続することにより給電できるように構成する。
三相の電力線から受電設備側に延びてくる架空引き込み線に対して３つの接続具３を接続すると共に、接地線に対して接地金具１２を接続することにより、受電設備を停電させた状態での法定点検が実施可能となる。具体的には、受電設備側の遮断装置１０１を閉じた状態で、遮断装置の入力側（電力線）と接地線との間に短絡接地器具１を接続する。
本発明の短絡接地器具１は、発光（点滅を含む）によって視覚的に、或いは鳴動によって聴覚的に、受電設備に短絡接地器具が接続された状態にあることを報知（警報）する警報手段２０を有している点が特徴的である。
【００１３】
この実施形態に係る警報手段２０は、図２の拡大図に示すように電力線用ケーブル２の外周面に所定のピッチにて配置したＬＥＤ２１と、ＬＥＤ２１間を接続するリード線２２と、ＬＥＤ２１及びリード線２２を被覆するように電力線用ケーブル２の外面に被覆形成された透明なビニル管等から成る被覆層２３と、を有している。リード線２２は電源２５と接続されており、電源２５をオンオフするスイッチを操作することによりＬＥＤを点灯、或いは点滅させるように構成されている。従って、この短絡接地器具１を受電設備の所要箇所に接続した際には必ず電源スイッチをオンする必要がある。
ＬＥＤ２１は、接続具３の適所に設けても良いし、接地用ケーブル１１側に設けても良い。ＬＥＤ２１は、電源スイッチをオフしないかぎり発光（点滅）を続けるために、日中であっても発光状態を目視確認することが容易であり、短絡接地器具１が依然として接続されていることを知ることができる。また、暗所であれば、尚更、発光による警報効果を高めることができる。
【００１４】
警報手段２０としてブザー音、その他の音声を鳴動させる音源を用いることにより、音声を手掛かりに接続状態にある短絡接地器具の存在と、その位置を容易に知ることができる。
また、発光による警報手段と、音声による警報手段を併用してもよい。
上記実施形態では、電源スイッチを投入し忘れた場合には短絡接地器具１を所要箇所に接続したとしても警報手段２０が不作動となるため、短絡接地器具の取外しを忘れることが想定される。
【００１５】
図３はこのような不具合を解消するためのスイッチ構成を示す説明図である。
この接続具３は、そのグリップ部３ｂに、挟持片３ａが電力線と接続した時（開放時）にオンすることによって電源２５からの電力を警報手段２０に通電させて作動させると共に、接続が解除された時（閉止時）にオフすることによって警報手段への通電を遮断して作動を停止させるリミットスイッチ３０を備えている。警報手段２０がＬＥＤ２１である場合にはリミットスイッチはＬＥＤの発光をオン、オフし、警報手段がブザー等の鳴動手段である場合には、リミットスイッチはブザーの作動をオン、オフすることとなる。
【００１６】
リミットスイッチ３０は、一方のグリップ３ｂの内側面にスイッチ本体３１を固定し、スイッチ本体３１からはスイッチ片３２が他方のグリップの内側面に向けて延びている。図示のように挟持片３ａが閉じている際には２つのグリップ３ｂ間の間隔が広がっているためにスイッチ片３２はオフとなっているが、挟持片３ａが開放して電力線と接続された状態にあるときには両グリップ３ｂが接近するためにスイッチ片３２が他方のグリップによって押圧されてオンとなる。リミットスイッチ３０がオンすることによってＬＥＤ２１が発光して警報を発する。
【００１７】
次に、図４は警報手段の作動をオン、オフするリミットスイッチの他の構成例であり、このリミットスイッチ３５は、一方のグリップ３ｂの内側に配置されたスイッチ本体３６と、スイッチ本体３６により出没自在に支持されたボタン式のスイッチ片３７と、から構成されている。このリミットスイッチ３５の場合もグリップ３ｂを握って両グリップを接近させたときにスイッチ片３７がオンされて警報手段２０に通電させるように構成されている。リミットスイッチ３５の外面にゴムシート、或いは樹脂シートなどからなる防水カバー３８を被覆しておくことが好ましい。
【００１８】
図３、図４の各実施形態に係るリミットスイッチを備えた短絡接地器具によれば、警報手段への通電をオン、オフするスイッチを接続具３に配置しており、しかも接続具３を開閉して電力線に対して着脱する操作によってリミットスイッチがオン、オフするように構成されているため、接続具３を取り付けながら警報手段２０の作動を忘れる事態がなくなる。従って、短絡接地器具を接続した状態で復旧することによって発生し得る事故を未然に防止することができる。
【図面の簡単な説明】
【００１９】
【図１】本発明の一実施形態に係る短絡接地器具の全体構成説明図である。
【図２】警報手段の一例の構成説明図である。
【図３】本発明の一実施形態に係るリミットスイッチの構成例を示す図である。
【図４】本発明の他の実施形態に係るリミットスイッチの構成例を示す図である。
【図５】（ａ）は高圧受電設備の概略説明図、（ｂ）は従来の短絡接地器具の構成説明図である。
【符号の説明】
【００２０】
１…短絡接地器具、２…電力線用ケーブル、３…接続具、３ａ…挟持片、３ｂ…グリップ、１１…接地用ケーブル、１２…接地金具、２０…警報手段、２１…ＬＥＤ、２２…リード線、２３…被覆層、２５…電源、３０…リミットスイッチ、３１…スイッチ本体、３２…スイッチ片、３５…リミットスイッチ、３６…スイッチ本体、３７…スイッチ片、３８…防水カバー、１００…高圧受電設備、１０１…遮断装置、１０２…電力線、１０３…接地線、１０５…短絡接地器具、１０６…接続具、１０７…電力線用ケーブル、１０８…接地金具、１０９…接地用ケーブル、１１０…区分開閉器。
【図１】
2008130297.tif 000003
【図２】
2008130297.tif 000004
【図３】
2008130297.tif 000005
【図４】
2008130297.tif 000006
【図５】
2008130297.tif 000007